(57)【特許請求の範囲】
【請求項１】
円形のディスクが搭載されるターンテーブルの中心部に形成された円筒形の圧入部をスピンドルモータのシャフトに圧入してなるディスク保持装置において、
上記円筒形の圧入部の周囲に取り付けられ、円筒形の圧入部を上記シャフト側に圧縮する応力を発生するリング部材を備えたことを特徴とするディスク保持装置。
【請求項２】
請求項１記載のディスク保持装置において、
上記円筒形の圧入部を中心にターンテーブル表面に放射状に形成された複数のガイド溝と、
該ガイド溝内にそれぞれ摺動移動可能に配置され、曲面状に形成された先端部が上記ガイド溝先端に形成された開口より突出されるように弾性付勢されたホルダとを有し、
上記リング部材は、上記ホルダが配置されたガイド溝の底面部を構成することを特徴とするディスク保持装置。
【発明の詳細な説明】
【０００１】
【発明の属する技術分野】
本発明は、ディスクターンテーブル上に装着されるＣＤ−ＲＯＭなどの光ディスク等のディスクを、上記ディスクターンテーブルと一体に回転可能に支持するディスク保持装置に関し、特にターンテーブルの保持機構の改良に関するものである。
【０００２】
【従来の技術】
従来、ポータブルＣＤプレーヤーや、ノートパソコン用ＣＤ―ＲＯＭドライブなどのディスククランプ方式の一つに、複数のボールを使用した自己保持型のクランプ方式がある。これは、ターンテーブル中心部に複数個のボールを、このターンテーブルの半径方向に突出するように付勢して配置し、ボールが突出することによる押圧力でディスクをターンテーブル上に保持するようにしたものである。以下、例えば、特開平３−１５７８５９号公報に記載されている、この種の従来例について具体的に説明する。
【０００３】
図３、図４は従来のディスク保持装置の構成を示す、平面図、及び側面図であり、これら図において、スピンドルモータによって回転駆動されるターンテーブル１の中心部には、上方に突起した周壁２が一体に形成され、キャップ状のボール保持体３が上記周壁２に嵌合されることにより、ボール保持体３がターンテーブル１に固定されている。ボール保持体３の外径はディスク４の中心孔の径と同等か僅かに小さい。ボール保持体３はその内部に半径方向に伸長した溝状のボールガイド５を３ヵ所に周方向に対して等間隔に有しており、各ボールガイド５内にはこのボールガイド５に沿って移動可能にボール６が配置されている。また、各ボールガイド５はボール保持体３の外周面に開口した開口部を有し、かつ、各ボール６は各ボールガイド５内に配置されたコイルばね７によって径方向外側に向かい付勢されている。
【０００４】
また、各ボールガイド５の開口部近傍の両側壁８は内方に向かって突出することにより、各ボール６が脱落するのを防止している。各ボール６はコイルばね７で付勢されることにより、その一部が上記ボール保持体３の開口部から突出している。このボール６の突出位置とターンテーブル１のディスク受け面との間には、ディスク４の厚さ寸法から割り出された適宜の寸法が確保されている。また、１２はスピンドルモータであり、１３は回転軸となるシャフトである。
【０００５】
次にディスク装着動作について説明する。ディスク４をターンテーブル１の上に装着する場合は、図４の２点鎖線で示すように、ディスク４の中心孔をボール６の上に載せ、指によってディスク４のクランプエリア部９を押下し、ボール６をコイルばね７の付勢力に抗して後退させながらディスク４をターンテーブル１上に載せる。ディスク４がターンテーブル１上に載ると、ボール６の一部がコイルばね７の付勢力でボール保持体３の開口部から突出し、この突出力によってディスク４の中心孔の上縁部が押され、ディスク４がターンテーブル１上に押しつけられてターンテーブル１と一体に回転可能となる。
【０００６】
一方、ディスク４をターンテーブル４から外す場合は、図４に示すように、ディスク４の外周部１０に指を当ててディスク４を強引に持ち上げる。こうすることによって、ディスク４はその中心孔の縁部がボール６を付勢力に抗して後退させながらボール保持体３から外れる。このディスク４の脱着の際、大きな力がターンテーブル１の上下方向に加わるため、矢印ｈ１で示す上記ターンテーブル１のハブ１１の高さを高くとり、ターンテーブル１のハブ１１とスピンドルモータ１２のシャフト１３との接合を強固にする必要があり、さらに、経年変化による圧入強度を保証するためにスピンドルモータ１２のシャフト１３の天面部に接着剤１４を塗布して圧入を強化している。
【０００７】
【発明が解決しようとする課題】
従来のディスク保持装置は以上のように構成されており、ボールの付勢力に抗して強引にディスクを着脱する構造となっているため、ターンテーブルの上下方向に大きな力が加わわることになる。そのため、スピンドルモータのシャフトとターンテーブルの圧入強度を上げる必要性があり、その結果、図４の矢印ｈ１で示す部分の長さが必要となり、ターンテーブルの厚みが増し、製品の薄型化ができない、さらに、経年変化によりターンテーブルの圧入強度が低下するため、シャフト天面部に接着材を塗布しており、このためコスト低減ができなかったという問題点があった。
この発明は以上のような問題点を解消するためになされたもので、製品の薄型化が可能で、しかもコストも低減することができるディスク保持装置を提供することを目的とする。
【０００８】
【課題を解決するための手段】
本発明の請求項１にかかるディスク保持装置は、円形のディスクが搭載されるターンテーブルの中心部に形成された円筒形の圧入部をスピンドルモータのシャフトに圧入してなるディスク保持装置において、上記円筒形の圧入部の周囲に取り付けられ、円筒形の圧入部を上記シャフト側に圧縮する応力を発生するリング部材を備えたものである。
【０００９】
また、本発明の請求項２にかかるディスク保持装置は、上記請求項１記載のディスク保持装置において、上記円筒形の圧入部を中心にターンテーブル表面に放射状に形成された複数のガイド溝と、該ガイド溝内にそれぞれ摺動移動可能に配置され、曲面状に形成された先端部が上記ガイド溝先端に形成された開口より突出されるように弾性付勢されたホルダとを有し、上記リング部材は、上記ホルダが配置されたガイド溝の底面部を構成するものとなっているものである。
【００１０】
【発明の実施の形態】
（実施の形態１．）
以下、本発明の実施の形態１によるディスク保持装置を、図面を参照しながら説明する。本実施の形態に係わるディスククランプ装置は、いわゆるポータブルプレーヤーや、ノートパソコン用ＣＤ−ＲＯＭドライブなどの光ディスク等の情報信号の記録媒体となるディスクを保持する機構である。図１に示すように、樹脂成形されたターンテーブル１５上面の中央には、ディスク４の中心孔に嵌合させるための円筒状の突起部１６が、樹脂成形された上記ターンテーブル１５と一体に設けられている。また、この突起部１６はその先端部分がテーパ状に形成されている。上記突起部１６の内部に半径方向に伸長した溝状のガイド１７が３ヵ所に周方向に対して等間隔に設けられており、上記ガイド１７内には、この上記ガイド１７に沿って移動可能にＣＤホルダ１８が配置されている。各上記ガイド１７は上記突起部１６の外周面に開口した開口部を有し、かつ、各上記ＣＤホルダ１８は、各上記ガイド１７内に配置されたコイルばね１９によつて径方向外側に向かい付勢されている。また、各上記ガイド１７の開口部近傍の両側壁２０は内側に向かって突出することにより、各上記ＣＤホルダ１８の外周方向への飛び出しを防止している。また、図２に示すように、樹脂成形された上記ターンテーブル１５のハブ２１の外周には金属製のリング２２が圧入されている。
【００１１】
次に作用効果について説明する。上記金属製のリング２２によって、樹脂成形された上記ターンテーブル１５の上記ハブ２１に圧入されているスピンドルモータ１２のシャフト１３による円周方向に発生する引張応力が、上記金属製のリング２２を上記ハブ２１に圧入させ、上記ハブ２１に半径方向の圧縮応力が発生せられていることで、上記ハブ２１に発生する円周方向の引張応力が低減され、その結果、樹脂成形された上記ターンテーブル１５の上記ハブ２１の高さが、矢印ｈ２で示すように従来のものに比べて低くても、上記モーター１２の上記シャフト１３と、樹脂成形された上記ターンテーブル１５との圧入強度の保持が可能となり、樹脂成形された上記ターンテーブル１５の厚みを薄くすることができるため、製品の薄型化が可能である。また、上記金属製のリング２２は、ディスク４の装着時、上記ＣＤホルダ１８の脱落防止の役目をもしている。
【００１２】
このように本実施の形態によれば、ターンテーブル１５の、スピンドルモータ１２のシャフト１３と嵌合するハブ２１の周囲に金属製のリング２２を設け、該リング２２にて、ハブ２１に半径方向の圧縮応力を印加するようにしたので、シャフト１３とハブ２１との嵌合深さが浅くても充分な圧入強度を得ることができ、その結果、製品の薄型化が可能となり、しかも、従来のようにハブの圧入部分に接着剤を塗布する必要がなくなることから、コストも低減することができる。
【００１３】
また、リング２２によって、ホルダ１８が配置されたガイド１７の底面部を構成するものとなっているために、ターンテーブル１５にハブ２１とガイド１７を一体的に形成できるとともに、ガイド１７内にホルダ１８及びこれを付勢するコイルばね１９を容易に組み込むことができる。
【００１４】
【発明の効果】
以上のように、本発明の請求項１にかかるディスク保持装置によれば、円形のディスクが搭載されるターンテーブルの中心部に形成された円筒形の圧入部をスピンドルモータのシャフトに圧入してなるディスク保持装置において、上記円筒形の圧入部の周囲に取り付けられ、円筒形の圧入部を上記シャフト側に圧縮する応力を発生するリング部材を備えたものとしたので、ターンテーブルのシャフト圧入部のシャフトとの圧入深さが浅くても充分な圧入強度を得ることができ、ターンテーブルのシャフトの圧入強度を強化するため接着剤を不要とすることができ、さらに、ターンテーブルの厚みを薄くすることができるため、製品の薄型化とコストダウンが実現できるという効果が得られる。
【００１５】
また、本発明の請求項２にかかるディスク保持装置によれば、上記請求項１記載のディスク保持装置において、上記円筒形の圧入部を中心にターンテーブル表面に放射状に形成された複数のガイド溝と、該ガイド溝内にそれぞれ摺動移動可能に配置され、曲面状に形成された先端部が上記ガイド溝先端に形成された開口より突出されるように弾性付勢されたホルダとを有し、上記リング部材は、上記ホルダが配置されたガイド溝の底面部を構成するものとなっているものとしたので、ターンテーブルに圧入部とガイド溝を一体的に形成できるとともに、ガイド溝内にホルダを容易に組み込むことができる。
【図面の簡単な説明】
【図１】  本発明の実施の形態１によるディスク保持装置の１例を示す、ターンテーブルを中心とした断面平面図である。
【図２】  上記ディスク保持装置の正面断面図である。
【図３】  従来のディスク保持装置の一例を示す断面平面図である。
【図４】  上記従来のディスク保持装置によるディスクの着脱状態を示す正面断面図である。
【符号の説明】
２  周壁
３  ボール保持体
４  ディスク
５  ボールガイド
１９  コイルばね
２０  側壁
２１  ターンテーブルハブ
１２  スピンドルモータ
１３  シャフト
１５  ターンテーブル
１６  ターンテーブル突起部
１７  ガイド
１８  ＣＤホルダ
２２  金属製のリング
【図１】
0003961704.tif 000002
【図２】
0003961704.tif 000003
【図３】
0003961704.tif 000004
【図４】
0003961704.tif 000005